(57)【特許請求の範囲】
【請求項１】
シェルを含む相手コネクタと電気接続する電気コネクタにおいて、
互いに対向する第１および第２側面と、該第１および第２側面と直交する前表面とを含む舌板が設けられる絶縁性本体と、
前記絶縁性本体の舌板の第１側面に装着される第１部と、舌板の第２側面に装着される第２部と、前記第１および第２部の前端を連接して前記第１側面と直交する連接部と、を含む複数の第１導電端子と、
前記絶縁性本体の舌板の第２側面に装着され、接触部を含む複数の第２導電端子と、  を備えることを特徴とする電気コネクタ。
【請求項２】
前記舌板の第１および第２側面には、それぞれ複数の挿入溝と凹所とが形成され、前記第１導電端子の第１部が、前記挿入溝に挿入される固持部であり、前記第１導電端子の第２部が、前記凹所に嵌合されて相手コネクタと電気接続する接続部であることを特徴とする請求項１に記載の電気コネクタ。
【請求項３】
前記連接部は、前記固持部の前端の側部と前記接続部の側部を連接することを特徴とする請求項２に記載の電気コネクタ。
【請求項４】
前記舌板には、前記挿入溝と凹所とを貫通して、前記第１導電端子の連接部を収納するための係合溝が形成されることを特徴とする請求項３に記載の電気コネクタ。
【請求項５】
前記第１導電端子の接続部と舌板の前表面との間は所定の距離を隔てていることを特徴とする請求項２に記載の電気コネクタ。
【請求項６】
前記舌板の第２側面には前記第２導電端子を収納するための複数の端子溝が形成され、前記第１導電端子の接続部と前記第２導電端子の接触部とは、相手方向に沿って重ならないように配置されることを特徴とする請求項２に記載の電気コネクタ。
【請求項７】
前記第１導電端子の接続部が弾力を具備せず、前記第２導電端子の接触部が弾力を具備し、前記第１導電端子の接続部と前記第２導電端子の接触部が異なる高さに位置することを特徴とする請求項２に記載の電気コネクタ。  
【請求項８】
前記第１導電端子の接続部と前記第２導電端子の接触部とは嵌合方向に沿って前記舌板の外へ露出されないことを特徴とする請求項２に記載の電気コネクタ。
【発明の詳細な説明】
【技術分野】
【０００１】
本発明は、電気コネクタに関し、特に、改良な端子を具備するＵＳＢ（Universal Serial Bus）コネクタに関するものである。
【背景技術】
【０００２】
電気コネクタが基板に半田接続されて相手プラグと接続する時、ＥＳＤ（Electrostatic Discharge）のような状況が発生し易い。ＥＳＤによって引き起こされる高電圧によって、半導体のような電子装置を損害し易い。これにより、電気コネクタが回路基板に半田接続される時、回路基板に設けられる電子装置が損害し易い。図６に示すように、複数の導電端子６０が電気コネクタ３００に挿入される。該電気コネクタ３００は、相手端子７０が設けられる相手コネクタ２００と電気接続する。相手コネクタ２００には、相手端子７０を遮蔽するシェル８０が設けられる。該電気コネクタ３００が相手コネクタ２００と電気接続する時、導電端子６０がシェル８０を接触し易い。
【発明の開示】
【発明が解決しようとする課題】
【０００３】
電気コネクタ３００が相手コネクタ２００と電気接続する時、導電端子６０がシェル８０を接触し易い。導電端子６０がシェル８０を接触すると、ＥＳＤを発生し易い。
【０００４】
そこで本発明の目的は、ＥＳＤを防止できる電気コネクタを提供することにある。
【課題を解決するための手段】
【０００５】
前記目的を達成するために、本発明の電気コネクタは、シェルを含む相手コネクタと電気接続する。電気コネクタは、絶縁性本体と、複数の第１、第２導電端子とを備える。絶縁性本体には、互いに対向する第１、第２側面と、第１、第２側面と直交する前表面とを含む舌板が設けられる。各第１導電端子は、前記絶縁性本体の舌板の第１側面に装着される第１部と、舌板の第２側面に装着される第２部と、前記第１、第２部の前端を連接して前記第１側面と直交する連接部とを含む。前記各第２導電端子は、前記絶縁性本体の舌板の第２側面に装着され、接触部を含む。
【発明の効果】
【０００６】
従来の技術に比べると、本発明は以下の長所がある。本発明の第１導電端子の第１部、第２部は、連接部によって絶縁性本体の舌板に固着され、嵌合方向に沿って舌板を越えない。これにより、第１端子が相手コネクタのシェルを接触しなくて、ＥＳＤを阻止できる。
【発明を実施するための最良の形態】
【０００７】
図１〜図２に示すように、本発明の電気コネクタ１００はＵＳＢコネクタであり、他のタイプのコネクタであってもよい。電気コネクタ１００は、図５、図６に示される相手コネクタ２００と相手する。相手コネクタ２００はシェル８０を含む。電気コネクタ１００は、絶縁性本体１０と、絶縁性本体１０に挿入される複数の導電端子２０と、前記導電端子を位置決めする定位部材５０と、絶縁性本体１０を覆う遮蔽部材３０と、内蓋体３９と、後蓋体３８とを備える。導電端子２０は、弾力を具備しない第１端子グループ２１と弾力を具備する第２端子グループ２２とを備える。
【０００８】
図１、図２及び図４に示すように、絶縁性本体１０は、本体部１３と、本体部１３から突出する上および下舌板１４，１５と、該上および下舌板１４，１５の間に設けられる中間板１６とを具備する。上、下舌板１４，１５はそれぞれ、互いに対向する上および下側面１４３、１４４と、前記上および下側面１４３，１４４と直交する前表面１４５とを含む。上および下舌板１４、１５には、それぞれ上側面１４３に形成される複数の挿入溝１４１と、下側面１４４に形成される複数の端子溝１４２とが形成される。上および下舌板１４，１５の下側面１４４には、前記端子溝１４２の前端に形成される凹所１４６が形成される。中間板１６の長さが、上および下舌板１４，１５の長さより長い。
【０００９】
図３に示すように、第１端子グループ２１の各導電端子が、固持部２１１と、前記固持部２１１の前端に設けられ、且つ前記固持部２１１と平行な接続部２１５と、固持部２１１の前端の側部と接続部２１５の側部とを連接する連接部２１４と、固持部２１１の末端から下向きに延在する半田接続部２１３とを有する。図２に示すように、第２端子グループ２２の各導電端子は、固定部２２１と、固定部２２１と連接する弾力ビーム２２２と、弾力ビーム２２２の前端に設けられる接触部２２３と、固定部２２１の末端から下向きに延在する半田接続足２２４とを備える。
【００１０】
図１〜図５を参照すると、第１端子グループ２１の固持部２１１が上側面１４３に沿って絶縁性本体１０の挿入溝１４１に挿入される。第１端子グループ２１の接続部２１５が絶縁性本体１０の凹所１４６に嵌め込まれ、連接部２１４が係合溝１４７と係合する。次に、第２端子グループ２２は下側面１４４に沿って絶縁性本体１０の端子溝１４２に挿入され、接触部２２３が端子溝１４２から露出される。上、下舌板１４，１５に挿入される第１、第２端子グループ２１，２２は、相手方向に沿って互いに重ならないように配置される。第１、第２端子グループ２１，２２の接続部２１４、接触部２２３が、異なる高さに配置される。
【００１１】
定位部材５０には階段状に配置される複数の定位溝５１が形成される。定位部材５０が絶縁性本体１０の後端に装入される。第１、第２端子グループ２１，２２の半田接続部２１３、半田接続足２２４が定位部材５０の対応する定位溝５１に挿入される。
【００１２】
内蓋体３９が絶縁性本体１０の中間板１６を被覆する。遮蔽部材３０が絶縁性本体１０を覆う。遮蔽部材３０は頂壁３２と、頂壁３２と対向する底壁３５と、一対の側壁３３とを備える。底壁３５には内に向かって突出して相手コネクタ２００のシェル８０を当接可能な複数の弾力ビーム３６と、側壁３３から下向きに延在して回路基板（図示せず）に連接される複数の取付部３７とを備える。後蓋体３８が遮蔽部材３０の後部と係合する。
【００１３】
第１端子グループ２１の接続部２１５と連接部２１４とは、絶縁性本体１０の上および下舌板１４，１５の凹所１４６と係合溝１４７とに嵌合される。第１端子グループ２１の前端が、上および下舌板１４，１５の内部に位置決めされ、該上および下舌板１４，１５の前表面１４５との間は所定の距離を隔てる。これにより、第１端子グループ２１の接続部２１５が相手コネクタ２００のシェル８０と接触することなく、ＥＳＤを阻止できる。該電気コネクタ１００が図１に示す上、下端口１１，１２のような二つの端口を含んでおり、一つの端口或いは多くの端口を含んでいてもよい。
【００１４】
以上、本発明について好ましい実施形態を参照して詳細に説明したが、実施形態はあくまでも例示的なものであり、これらに限定されるものではない。また上述の説明は、本発明に基づき成し得る細部の修正或は変更などは、いずれも本発明の技術的範囲に属するものである。
【図面の簡単な説明】
【００１５】
【図１】本発明の電気コネクタの組立図である。
【図２】図１に示電気コネクタの分解斜視図である。
【図３】図２に示す第１端子グループの斜視図である。
【図４】図２に示す絶縁性本体の斜視図である。
【図５】図１に示す電気コネクタが相手コネクタと電気接続する断面図である。
【図６】従来技術に掲示される電気コネクタが相手コネクタと電気接続する断面図である。
【符号の説明】
【００１６】
１００  電気コネクタ
１０  絶縁性本体
１１  上端口
１２  下端口
１３  本体部
１４  上舌板
１４１  挿入溝
１４２  端子溝
１４３  上側面
１４４  下側面
１４５  前表面
１４６  凹所
１４７  係合溝
１５  下舌板
１６  中間板
２０  導電端子
２００  相手コネクタ
２１  第１端子グループ
２１１  固持部
２１３  半田接続部
２１４  連接部
２１５  接続部
２２  第２端子グループ
２２１  固定部
２２２  弾力ビーム
２２３  接触部
２２４  半田接続足
３０  遮蔽部材
３００  従来の電気コネクタ
３２  頂壁
３３、３４  側壁
３５  底壁
３６  弾力ビーム
３７  取付部
３８  後蓋体
３９  内蓋体
５０  定位部材
５１  定位溝
６０  導電端子
７０  相手端子
８０  シェル
【図１】
0004938746.tif 000002
【図２】
0004938746.tif 000003
【図３】
0004938746.tif 000004
【図４】
0004938746.tif 000005
【図５】
0004938746.tif 000006
【図６】
0004938746.tif 000007